(57)【要約】【課題】安定したバックストップを確保しながら、鍵の連打性を向上させることができるアップライトピアノのバックストップ装置を提供する。【解決手段】打弦後に復帰回動するハンマー５を停止させるアップライトピアノのバックストップ装置１であって、ハンマー５に設けられたキャッチャー３３と、アクション４に設けられ、ハンマー５の復帰回動中に、キャッチャー３３が当接した状態で、キャッチャー３３を係止することにより、ハンマー５を停止させるバックチェック１８と、を備え、バックチェック１８は、キャッチャー３３を係止する際に、キャッチャー３３の下部に下方から当接し、ハンマー５の停止後かつ復帰回動の完了前において、キャッチャー３３から離れる際に、アクション４によるハンマー５の突上げを許容するよう、キャッチャー３３を押し上げる押上げ部１８ｂを有している。【選択図】図１
2017198721.tif 000002
【特許請求の範囲】
【請求項１】
鍵の押鍵に伴い、ハンマーが、アクションで突き上げられ、回動することによって弦を打弦するアップライトピアノにおいて、打弦後に復帰回動するハンマーを停止させるアップライトピアノのバックストップ装置であって、
前記ハンマーに設けられたキャッチャーと、
前記アクションに設けられ、前記ハンマーの復帰回動中に、前記キャッチャーが当接した状態で、当該キャッチャーを係止することにより、前記ハンマーを停止させるバックチェックと、
を備え、
前記バックチェックは、前記キャッチャーを係止する際に、当該キャッチャーの下部に下方から当接し、前記ハンマーの停止後かつ復帰回動の完了前において、前記キャッチャーから離れる際に、前記アクションによる前記ハンマーの突上げを許容するよう、前記キャッチャーを押し上げる押上げ部を有していることを特徴とするアップライトピアノのバックストップ装置。
【請求項２】
前記キャッチャーは、前記ハンマーの回動自在に支持されたバットに、前後方向に延びるキャッチャーシャンクを介して取り付けられており、
前記バックチェックは、前記アクションの回動自在に支持されたウィッペンに、上下方向に延びるバックチェックワイヤを介して取り付けられ、
前記押上げ部は、前記キャッチャーに向かって斜め上に突出するように形成され、離鍵状態において前記キャッチャーの下端付近に位置するとともに、前記バックチェックが前記キャッチャーを係止する際に当該キャッチャーの下面に摺接するように構成されていることを特徴とする請求項１に記載のアップライトピアノのバックストップ装置。
【請求項３】
前記バックチェックは、前記キャッチャーを係止する際に、当該キャッチャーの上部に上方から当接し、前記押上げ部と協働して、前記キャッチャーを上下から挟持した状態で係止する係止部を、更に有していることを特徴とする請求項１又は２に記載のアップライトピアノのバックストップ装置。
【発明の詳細な説明】
【技術分野】
【０００１】
本発明は、鍵の押鍵に伴い、ハンマーが、アクションで突き上げられ、回動することによって弦を打弦するアップライトピアノにおいて、打弦後に復帰回動するハンマーを停止させるアップライトピアノのバックストップ装置に関する。
【背景技術】
【０００２】
従来、この種のアップライトピアノのバックストップ装置として、本出願人がすでに出願した特許文献１に開示したものが知られている。このバックストップ装置は、ハンマーのバットから前方に突出するキャッチャーシャンクの先端部に設けられたキャッチャーと、ウィッペンの前端部に立設されたバックチェックワイヤの上端部に設けられたバックチェックと、を備えている。キャッチャーの前部には、上下方向に延びる被係止部が設けられ、その前面が凸状に形成される一方、バックチェックの後部には、上下方向に延びる係止部が設けられ、その後面が凹状に形成されている。そして、これらのキャッチャーとバックチェックは、離鍵状態において、互いに前後方向に間隔を隔てて対向している。
【０００３】
鍵が押鍵されると、それに連動してウィッペンが回動し、このウィッペンに回動自在に支持されたジャックによって、ハンマーのバットが突き上げられ、それにより、ハンマーが回動して弦を打弦する。この打弦後、ハンマーは、離鍵状態における元の位置への復帰回動中に、キャッチャーがバックチェックに当接して係止されることによって一旦、停止し（以下「バックストップ」という）、それにより、ハンマーのリバウンドが防止される。そして、バックストップ後、鍵の離鍵が開始されると、ウィッペンが離鍵状態における元の位置側へ回動し始め、ウィッペンに取り付けられたバックチェックがキャッチャーから離れる。これにより、停止していたハンマーは、復帰回動を再開し、ハンマーレールに当接して、復帰回動が完了する。またこの場合、鍵が完全に離鍵されたときに、回動していたウィッペンも離鍵状態の元の位置に復帰回動する。そして、ウィッペンに支持されているジャックがハンマーのバットの下側に入り込み、ジャックによる再度の突上げが可能になる。
【先行技術文献】
【特許文献】
【０００４】
【特許文献１】特開２００６−３０１３５６号公報
【発明の概要】
【発明が解決しようとする課題】
【０００５】
上述した従来のバックストップ装置では、キャッチャーがバックチェックに当接したときに、両者の被係止部と係止部の凹凸面による大きな接触面積が確保されるので、平面同士が面接触する場合に比べて、キャッチャーとバックチェックの間に大きな摩擦力を確保でき、安定したバックストップを得ることができる。しかし、ジャックがハンマーのバットの下側に入り込むことで、ジャックによるハンマーの再度の突上げが可能になるタイミングは、ハンマー及びウィッペンが離鍵状態の元の位置に復帰回動した後である。このため、従来のバックストップ装置を備えたアップライトピアノでは、鍵を完全に離鍵した状態まで戻さないと、その鍵の押鍵による打弦ができない。特に、鍵を連打するときに、押鍵した鍵が離鍵状態に戻る前に、再度押鍵されると、ジャックがハンマーのバットの下側に入り込むのが遅れ、その結果、ハンマーで弦を適切に打弦できない、いわゆる音抜けを生じることがある。したがって、従来のバックストップ装置には改善の余地がある。
【０００６】
本発明は、以上のような課題を解決するためになされたものであり、安定したバックストップを確保しながら、鍵の連打性を向上させることができるアップライトピアノのバックストップ装置を提供することを目的とする。
【課題を解決するための手段】
【０００７】
上記の目的を達成するために、請求項１に係る発明は、鍵の押鍵に伴い、ハンマーが、アクションで突き上げられ、回動することによって弦を打弦するアップライトピアノにおいて、打弦後に復帰回動するハンマーを停止させるアップライトピアノのバックストップ装置であって、ハンマーに設けられたキャッチャーと、アクションに設けられ、ハンマーの復帰回動中に、キャッチャーが当接した状態で、キャッチャーを係止することにより、ハンマーを停止させるバックチェックと、を備え、バックチェックは、キャッチャーを係止する際に、キャッチャーの下部に下方から当接し、ハンマーの停止後かつ復帰回動の完了前において、キャッチャーから離れる際に、アクションによるハンマーの突上げを許容するよう、キャッチャーを押し上げる押上げ部を有していることを特徴とする。
【０００８】
この構成によれば、アップライトピアノにおいて、鍵が押鍵されるのに伴い、ハンマーは、アクションで突き上げられ、回動することによって弦を打弦する。その打弦後、復帰回動するハンマーは、キャッチャーがバックチェックに当接した状態でこれに係止されることによって、復帰回動の途中で停止し、またこの場合、バックチェックの押上げ部がキャッチャーの下部に下方から当接する。これにより、ハンマーは、バックストップされ、打弦後のリバウンドが防止される。
【０００９】
上記のバックストップ後、押鍵された鍵の離鍵が開始されると、バックチェックがキャッチャーから離れ、それに伴い、ハンマーの復帰回動が再開する。この場合、バックチェックがキャッチャーから離れる際に、バックチェックの押上げ部によって、キャッチャーを押し上げ、それにより、アクションによるハンマーの突上げを許容する。このように、バックストップ後かつハンマーの復帰回動の完了前に、アクションによるハンマーの突上げが可能となるので、従来のアップライトピアノと異なり、押鍵した鍵が離鍵状態に戻る前に再度、押鍵したときには、ハンマーで弦を適切に打弦することができる。したがって、本発明によれば、アップライトピアノにおける鍵の連打性を向上させることができる。
【００１０】
請求項２に係る発明は、請求項１に記載のアップライトピアノのバックストップ装置において、キャッチャーは、ハンマーの回動自在に支持されたバットに、前後方向に延びるキャッチャーシャンクを介して取り付けられており、バックチェックは、アクションの回動自在に支持されたウィッペンに、上下方向に延びるバックチェックワイヤを介して取り付けられ、押上げ部は、キャッチャーに向かって斜め上に突出するように形成され、離鍵状態においてキャッチャーの下端付近に位置するとともに、バックチェックがキャッチャーを係止する際にキャッチャーの下面に摺接するように構成されていることを特徴とする。
【００１１】
この構成によれば、一般的なアップライトピアノと同様、キャッチャーがキャッチャーシャンクを介してハンマーのバットに取り付けられる一方、バックチェックがバックチェックワイヤを介してアクションのウィッペンに取り付けられている。バックチェックの押上げ部は、キャッチャーに向かって斜め上に突出するように形成されており、離鍵状態においてキャッチャーの下端付近に位置する一方、バックチェックがキャッチャーを係止する際にその下面に摺接する。
【００１２】
アップライトピアノでは一般に、アクションの回動自在に支持されたウィッペンに設けられたバックチェックは、ハンマーの回動自在に支持されたバットに設けられたキャッチャーに比べて、曲率半径が大きな円弧に沿って移動する。また、バックチェックがキャッチャーを係止する際には、バックチェックの押上げ部は、キャッチャーの下面に摺接していて、バックチェックがキャッチャーから離れる際には、キャッチャーの下面が移動する円弧状の軌跡に対して、内側から外側に横切るように移動する。これにより、バックチェックの押上げ部からキャッチャーに作用する力の分力、あるいは押上げ部とキャッチャーの下面との間に作用する摩擦力の分力が、キャッチャーを押し上げるように作用する。以上のように、アクションのウィッペンやハンマーなどを、一般的なアップライトピアノと同様に構成しながら、バックチェックに上記のような押上げ部を設けることにより、バックチェックがキャッチャーから離れる際にアクションによるハンマーの突上げを許容するバックストップ装置を、比較的簡易にかつ低コストで実現することができる。
【００１３】
請求項３に係る発明は、請求項１又は２に記載のアップライトピアノのバックストップ装置であって、バックチェックは、キャッチャーを係止する際に、キャッチャーの上部に上方から当接し、押上げ部と協働して、キャッチャーを上下から挟持した状態で係止する係止部を、更に有していることを特徴とする。
【００１４】
この構成によれば、バックチェックがキャッチャーを係止する場合、バックチェックの係止部及び押上げ部が、キャッチャーの上部及び下部にそれぞれ当接し、キャッチャーを上下から挟持した状態でこれを係止する。これにより、キャッチャーに対するバックチェックのくわえ力を高くすることができ、バックストップをより一層安定して行うことができる。
【図面の簡単な説明】
【００１５】
【図１】本発明の一実施形態によるバックストップ装置を適用したアップライトピアノのハンマー及びアクションなどを、離鍵状態において示す側面図である。
【図２】アクション及びハンマーの動作を説明するための説明図であり、（ａ）は離鍵状態から押鍵が開始され、ハンマーが弦を打弦する前の状態、（ｂ）はハンマーが弦を打弦した状態を示す。
【図３】図２に続く説明図であり、（ａ）は押鍵による打弦後のハンマーのキャッチャーがバックチェックに係止された状態（バックストップ）、（ｂ）は押鍵状態から離鍵が開始され、バックチェックがキャッチャーから離れる直前の状態を示す。
【図４】図３に続く説明図であり、（ａ）は、バックチェックによるキャッチャーの押上げに伴い、ハンマーが弦側に若干回動することにより、ジャックがバットの下側に入り込んだ状態、（ｂ）は、ハンマー及びウィッペンが離鍵状態の元の位置に戻った状態を示す。
【図５】バックチェックがキャッチャーから離れる際に、キャッチャーに作用する力を説明するための図であり、（ａ）はハンマー及びアクションなどを示す側面図、（ｂ）はキャッチャー及びバックチェックを拡大して示す図である。
【図６】バックチェックの変形例を拡大して示す図であり、（ａ）はキャッチャーがバックチェックに係止された状態（バックストップ）、（ｂ）はバックチェックがキャッチャーから離れる直前の状態を示す。
【発明を実施するための形態】
【００１６】
以下、図面を参照しながら、本発明の好ましい実施形態を詳細に説明する。図１は、本発明の一実施形態によるバックストップ装置１を適用したアップライトピアノ２を、離鍵状態において示している。なお、以下の説明では、演奏者側から見たときのアップライトピアノ２の手前側（図１の右側）を「前」、奥側（図１の左側）を「後」として説明する。
【００１７】
このアップライトピアノ２は、鍵盤３、アクション４及びハンマー５などを備えている。鍵盤３は、左右方向に並んだ多数の鍵３ａ（１つのみ図示）によって構成されている。各鍵３ａは、前後方向（図１の左右方向）に延び、その中央において、棚板６上の筬７に立設されたバランスピン７ａを中心として回動自在に支持されている。
【００１８】
棚板６の左右の端部には、アクションブラケット（図示せず）がそれぞれ設けられており、アクション４は、両アクションブラケット間において、鍵盤３の後端部の上方に配置されている。また、アクション４は、ウィッペン８及びジャック９などを備えており、これらは、鍵３ａごとに設けられている。左右のアクションブラケット間には、センターレール１１及びハンマーレール１２などが左右方向（図１の表裏方向）に延びるように渡されている。センターレール１１には、ウィッペンフレンジ１４及びバットフレンジ１５が鍵３ａごとにねじ止めされている。そして、ウィッペン８が、その後端部において、ウィッペンフレンジ１４に、そのセンターピン１４ａを介して回動自在に支持される一方、ハンマー５が、その下端部において、バットフレンジ１５に、そのセンターピン１５ａを介して回動自在に支持されている。
【００１９】
ウィッペン８は、合成樹脂などによって、所定の形状に形成されており、下方に突出するヒール部８ａを介して、対応する鍵３ａの後端部に設けられたキャプスタンボタン３ｂに載置されている。また、ウィッペン８の上面前端部には、バックチェックワイヤ１７が立設されていて、その先端部にバックチェック１８が取り付けられている。さらに、ウィッペン８の上面後端部には、後述するダンパー２５を駆動するためのスプーン１９が立設されている。このスプーン１９の直ぐ前方には、前述したウィッペンフレンジ１４が配置されており、このウィッペンフレンジ１４は、その上部において、センターレール１１に固定されている。
【００２０】
バックチェック１８は、互いに上下方向に所定距離を隔てて配置され、ハンマー５の後述するキャッチャー３３に向かって、後方斜め上にそれぞれ所定長さ突出する上側突出部１８ａ（係止部）及び下側突出部１８ｂ（押上げ部）を有しており、バックチェック１８の側面形状が後方に開放するコ字状に形成されている。また、上側突出部１８ａ及び下側突出部１８ｂの互いに対向する面にはいずれも、フェルト１８ｃが貼り付けられている。そして、離鍵状態においては、下側突出部１８ｂが、キャッチャーの下端付近に間隔を隔てて対向している。
【００２１】
ジャック９は、合成樹脂などによって構成され、前後方向に延びる基部９ａと、その後端部から上方に延びるハンマー突上げ部９ｂとによって、側面形状がＬ字状に形成されている。このジャック９は、その基部９ａとハンマー突上げ部９ｂとの角部において、ウィッペン８のバックチェックワイヤ１７よりも後方の所定位置に上方に突出するように設けられたフレンジ部８ｂに、センターピン８ｃを介して回動自在に支持されている。また、基部９ａとウィッペン８の間には、ジャック９を図１の反時計方向に付勢するジャックスプリング１０が設けられている。
【００２２】
また、図１に示すように、センターレール１１には、前方に延びる複数のレギュレティングブラケット２１（１つのみ図示）と、その前端部に取り付けられ、左右方向に延びるレギュレティングレール２２とが設けられている。また、レギュレティングレール２２には、その下方において鍵３ａごとにレギュレティングボタン２３（１つのみ図示）が取り付けられている。
【００２３】
また、アクション４の後方には、ダンパー２５が、ダンパーフレンジ２６を介して、鍵３ａごとに設けられている。ダンパー２５は、上下方向に延び、ダンパーフレンジ２６に、そのセンターピン２６ａを介して回動自在に支持されたダンパーレバー２５ａと、このダンパーレバー２５ａの上端から上方に延びるダンパーワイヤ２５ｂと、このダンパーワイヤ２５ｂの上端部に取り付けられたダンパーヘッド２５ｃと、ダンパー２５を弦Ｓ側に付勢するダンパーレバースプリング２５ｄなどで構成されている。このダンパー２５は、離鍵時に、ダンパーレバースプリング２５ｄの付勢力によって、ダンパーヘッド２５ｃが弦Ｓに当接することにより、止音するためのものである。
【００２４】
ハンマー５は、アクション４と同様、鍵３ａごとに設けられており、バット３１、ハンマーヘッド３２及びキャッチャー３３などを備えている。バット３１は、合成樹脂などにより、所定の形状に形成されており、その下端部において、前述したバットフレンジ１５に回動自在に支持されていて、それにより、ハンマー５が、センターピン１５ａを中心として回動自在になっている。
【００２５】
バット３１の上面には、棒状のハンマーシャンク３４が立設されており、その上端部に、ハンマーヘッド３２が設けられている。また、バット３１の前面には、前下がりに延びる棒状のキャッチャーシャンク３５が設けられており、その前端部に、キャッチャー３３が設けられている。
【００２６】
キャッチャー３３は、上下方向に延びるとともに、上面及び下面が前下がりに傾斜するブロック状に形成されており、後面の中央においてキャッチャーシャンク３５に固定されている。また、キャッチャー３３には、その上面、前面及び下面にわたって、例えば皮革で構成されたキャッチャースキン３６が貼り付けられている。
【００２７】
以上のように構成されたハンマー５は、前述したジャック９のハンマー突上げ部９ｂが、バット３１の下面の前端部で構成された被突上げ部３１ａに下方から係合し、ハンマーシャンク３４とハンマーレール１２との間に微小な隙間を存した状態で静止している。また、バックストップ装置１は、アクション４のバックチェック１８及びハンマー５のキャッチャー３３によって構成されており、以下、図１〜図５を参照しながら、バックストップ装置１によるハンマー５のバックストップ動作を含む上述したアクション４及びハンマー５のなどの押鍵の開始から離鍵の終了までの一連の動作について説明する。
【００２８】
演奏者により、図１の離鍵状態から鍵３ａが押鍵されると、鍵３ａは、バランスピン７ａを中心として同図の時計方向に回動し、その後端部に載置されたウィッペン８は、鍵３ａによって突き上げられることにより、ウィッペンフレンジ１４のセンターピン１４ａを中心として上方（図１の反時計方向）に回動する。このウィッペン８の回動に伴い、ウィッペン８に設けられたジャック９及びバックチェック１８などが一緒に移動し、ハンマー５は、そのバット３１がジャック９のハンマー突上げ部９ｂによって突き上げられることにより、バットフレンジ１５のセンターピン１５ａを中心として、後方の弦Ｓに向かって反時計方向に回動する。
【００２９】
押鍵開始後、ウィッペン８が所定の角度まで回動すると、図２（ａ）に示すように、スプーン１９が、ダンパーレバー２５ａの下端部に当接し、押圧することによって、ダンパーレバー２５ａが、ダンパーレバースプリング２５ｄの付勢力に抗して時計方向に回動する。
【００３０】
また、ウィッペン８の回動により、ジャック９の基部９ａの前端部が、レギュレティングボタン２３に下方から当接する。これにより、ジャック９は、レギュレティングボタン２３により上方への移動が規制されることによって、ウィッペン８に対し、ジャックスプリング１０の付勢力に抗して、フレンジ部８ｂのセンターピン８ｃを中心として、時計方向に回動しようとする。そして、図２（ｂ）に示すように、ジャック９のハンマー突上げ部９ｂがバット３１の被突上げ部３１ａから前方に外れ、ハンマー５から離脱することにより、ジャック９がウィッペン８に対して時計方向に回動する。ハンマー５は、ジャック９が離脱した後も慣性によって回動し、ハンマーヘッド３２が弦Ｓを打弦し、それを振動させることによって、ピアノ音が発生する。そして、打弦したハンマー５は、弦Ｓの反発力によって、時計方向への復帰回動を開始する。
【００３１】
ハンマー５は、復帰回動する途中において、バックチェック１８に次のようにして係止される。ハンマー５の復帰回動に伴い、キャッチャー３３が、前方のバックチェック１８側に移動する一方、ウィッペン８の反時計方向への回動に伴い、バックチェック１８が、後方のキャッチャー３３側に移動する。そして、図３（ａ）に示すように、バックチェック１８の上側突出部１８ａと下側突出部１８ｂの間に、キャッチャー３３が入り込むとともに、下側突出部１８ｂの上面がキャッチャー３３の下面に摺接し、それにより、キャッチャー３３は、上側突出部１８ａと下側突出部１８ｂで上下から挟持された状態で係止される。その結果、ハンマー５は、図３（ａ）に示す所定の角度位置で停止し、その復帰回動が一旦、停止させられる。以上のようなハンマー５のバックストップ動作によって、ハンマー５のリバウンドが防止される。
【００３２】
押鍵が終了し、鍵３ａの離鍵が開始されると、図３（ｂ）に示すように、ウィッペン８及びハンマー５がいずれも時計方向に回動し始め、バックチェック１８がキャッチャー３３から離れるように移動する。
【００３３】
図５は、バックチェック１８がキャッチャー３３から離れる際の両者の動作及びキャッチャー３３に作用する力について示している。同図（ａ）に示すように、バックチェック１８がキャッチャー３３から離れる際には、ウィッペン８がウィッペンフレンジ１４のセンターピン１４ａを中心として回動するので、バックチェック１８のキャッチャー３３に当接する下側突出部１８ｂは、センターピン１４ａを中心とし、曲率半径が大きい円弧（円Ｂ参照）に沿って移動する。一方、ハンマー５がバットフレンジ１５のセンターピン１５ａを中心として回動するので、キャッチャー３３のバックチェック１８（下側突出部１８ｂ）に接する部位は、センターピン１５ａを中心とし、曲率半径が小さい円弧（円Ｌ参照）に沿って移動する。また、バックチェック１８がキャッチャー３３から離れる際には、バックチェック１８の下側突出部１８ｂは、キャッチャー３３の下面が移動する円弧状の軌跡（円Ｌ参照）に対して、内側から外側に横切るように移動する。
【００３４】
これにより、バックチェック１８がキャッチャー３３から離れる際には、バックチェック１８の下側突出部１８ｂからキャッチャー３３に作用する力の分力、あるいは下側突出部１８ｂとキャッチャー３３との間に生じる摩擦力の分力が、図５（ｂ）に白抜き矢印で示すように、キャッチャー３３を押し上げるように作用する。その結果、ハンマー５は、バットフレンジ１５のセンターピン１５ａを中心として、反時計方向に、すなわち、弦Ｓ側に若干回動する。
【００３５】
この場合、図４（ａ）に示すように、ハンマー５のバット３１から離脱していたジャック９は、ジャックスプリング１０の付勢力によって反時計方向に回動し、ハンマー突上げ部９ｂがバット３１の下側に入り込み、その被突上げ部３１ａに係合する。したがって、この場合には、押鍵された鍵３ａの離鍵の開始後、その鍵３ａが完全に離鍵される前において、鍵３ａが再度、押鍵されると、前述した押鍵時の動作と同様にして、ハンマー５がジャック９で突き上げられ、弦Ｓを打弦する。
【００３６】
なお、バックチェック１８がキャッチャー３３から離れた後、鍵３ａが押鍵されることなく、その鍵３ａが完全に離鍵されると、図４（ｂ）に示すように、ウィッペン８及びバックチェック１８が離鍵状態の元の位置に戻るとともに、ハンマー５も、そのハンマーシャンク３４がハンマーレール１２に当接し、離鍵状態の元の位置に戻る。
【００３７】
以上詳述したように、本実施形態のバックストップ装置１によれば、押鍵に伴い、アクション４のジャック９で突き上げられ、回動することによって弦Ｓを打弦したハンマー５は、キャッチャー３３がバックチェック１８に当接した状態でこれに係止されることによって、復帰回動の途中で停止する。これにより、ハンマー５は、バックストップされ、打弦後のリバウンドが防止される。また、バックストップ後、バックチェック１８がキャッチャー３３から離れる際に、バックチェック１８の下側突出部１８ｂによって、キャッチャー３３を押し上げ、それにより、ジャック９によるハンマー５の突上げを許容する。このように、バックストップ後かつハンマー５の復帰回動の完了前に、ジャック９によるハンマー５の押し上げが可能となるので、従来のアップライトピアノと異なり、押鍵した鍵３ａが離鍵状態に戻る前に再度、押鍵したときには、ハンマー５で弦Ｓを適切に打弦することができる。したがって、本実施形態によれば、アップライトピアノ２における鍵３ａの連打性を向上させることができる。
【００３８】
また、アクション４のウィッペン８やハンマー５などを、一般的なアップライトピアノと同様に構成しながら、下側突出部１８ｂを有するバックチェック１８を設けることにより、そのバックチェック１８がキャッチャー３３から離れる際にジャック９によるハンマー５の突上げを許容するバックストップ装置１を、比較的簡易にかつ低コストで実現することができる。さらに、バックチェック１８の上側突出部１８ａ及び下側突出部１８ｂが、キャッチャー３３の上部及び下部にそれぞれ当接し、キャッチャー３３を上下から挟持した状態でこれを係止する。これにより、キャッチャー３３に対するバックチェック１８のくわえ力を高くすることができ、バックストップをより一層安定して行うことができる。
【００３９】
なお、本発明は、説明した上記実施形態に限定されることなく、種々の態様で実施することができる。例えば、実施形態では、バックチェック１８において、上側突出部１８ａ及び下側突出部１８ｂを設けたが、本発明はこれに限定されるものではなく、例えば、図６（ａ）に示すように、上側突出部１８ａを省略し、バックチェック１８の後半部の側面形状を、Ｌ字状に形成してもよい。このバックチェック１８’では、キャッチャー３３を係止する際には、図６（ａ）に示すように、キャッチャー３３の前面及び下面のほぼ全体が、バックチェック１８’に当接した状態で係止され、それにより、安定したバックストップを確保することができる。また、このバックチェック１８’は、図６（ｂ）に示すように、前述したバックチェック１８と同様、キャッチャー３３から離れる際に、下側突出部１８ｂによって、キャッチャー３３を押し上げるので、バックストップ後かつハンマー５の復帰回動の完了前に、ジャック９によるハンマー５の突上げが可能になる。
【００４０】
また、実施形態で示したバックストップ装置１を構成するキャッチャー３３やバックチェック１８、１８’の細部の構成などは、あくまで例示であり、本発明の趣旨の範囲内で適宜、変更することができる。
【符号の説明】
【００４１】
１    バックストップ装置
２    アップライトピアノ
３    鍵盤
３ａ  鍵
４    アクション
５    ハンマー
８    ウィッペン
９    ジャック
１１    センターレール
１４    ウィッペンフレンジ
１５    バットフレンジ
１７    バックチェックワイヤ
１８    バックチェック
１８’  バックチェック
１８ａ  上側突出部（係止部）
１８ｂ  下側突出部（押上げ部）
３１    バット
３１ａ  被突上げ部
３３    キャッチャー
３４    ハンマーシャンク
３５    キャッチャーシャンク
Ｓ    弦
【図１】
2017198721.tif 000003
【図２】
2017198721.tif 000004
【図３】
2017198721.tif 000005
【図４】
2017198721.tif 000006
【図５】
2017198721.tif 000007
【図６】
2017198721.tif 000008